(57)【要約】      （修正有）【課題】卸店などが小売店のニーズに応じて多品種少量の商品を、その時々に組み合わせて搬送したり、搬送後の展示を容易にすることが可能な梱包資材を提供する。【解決手段】パレット２０を最下部に設置して台とし、その上に薄皿状のトレイ３０を置き、このトレイ３０上に組仕切り４０を載置すると、フィルム等で梱包可能で、かつ、輸送できる状態となり、利便性の高い新しい梱包資材として利用できる。最下段にパレット２０を配置し、その上にトレイ３０、トレイパッド、組仕切り４０、逆さにしたトレイ３０を配置することで一段の収納状態となる。これを例えば三段分繰り返して積み重ねる。【選択図】図１
0003219284.tif 000002
【実用新案登録請求の範囲】
【請求項１】
最下部に設置される台となるパレットと、
底板と、同底板の縁部で起立される壁材とを有する薄皿状のトレイと、
前記トレイの底板に載置されて底板上部の空間を鉛直方向に仕切る組仕切りとを具備することを特徴とする梱包資材。
【請求項２】
前記パレットは、天板と、天板の下に固定されて底上げする脚部を備える
ことを特徴とする前記請求項１に記載の梱包資材。
【請求項３】
前記脚部は、所定の厚みを有する矩形箱形の形状であり、天板の下面に対して複数個を貼着して固定されている
ことを特徴とする前記請求項２に記載の梱包資材。
【請求項４】
前記脚部は、下駄の歯のように複数個を平行に貼着していることを特徴とする前記請求項３に記載の梱包資材。
【請求項５】
前記脚部は、複数の紙を一定間隔でのり付けし、次の紙とはその半分の間隔をずらしてのり付けすることを複数枚だけ繰り返し、紙同士を引き離すように広げて厚み方向の荷重を支えるようにしてあることを特徴とする前記請求項２〜請求項４のいずれかに記載の梱包資材。
【請求項６】
前記トレイは、底板となる一枚の矩形の段ボールの縁部を所定長さだけ起立させることで周縁の壁材を形成してあることを特徴とする前記請求項１〜請求項５のいずれかに記載の梱包資材。
【請求項７】
前記トレイの底面側を印刷面として所定の装飾を印刷しておき、同トレイの底板上に段ボール板のトレイパッドを載置すると共に、同トレイパッドは、上面の側を印刷面として所定の装飾を印刷してあることを特徴とする前記請求項１〜請求項６のいずれかに記載の梱包資材。
【請求項８】
前記組仕切りは、複数の矩形段ボール板に互いに反対方向から切り込みを形成し、切り込み同士を対面させて互いに交差するように組み合わせて形成されることを特徴とする前記請求項１〜請求項７のいずれかに記載の梱包資材。
【請求項９】
前記組仕切りは、少なくとも一方向に二枚の段ボール板を備えてトレイ上に６つ以上の被梱包物を仕分けて載置可能とさせることを特徴とする前記請求項８に記載の梱包資材。
【請求項１０】
前記パレットと前記トレイの設置面積がほぼ一致し、前記トレイと前記組仕切りとを一組として一段の棚として使用し、最上段の前記組仕切りの上面には前記トレイを逆さにして蓋とすることを特徴とする前記請求項１〜請求項９のいずれかに記載の梱包資材。
【請求項１１】
前記パレットから最上段のトレイに至る高さで、側面の角を覆う角被覆板を備えることを特徴とする前記請求項１０に記載の梱包資材。
【請求項１２】
前記パレットから最上段のトレイに至る側面の角を角被覆板にて覆った状態で上方と下方から薄皿状の上蓋と下蓋を装着することを特徴とする前記請求項１１に記載の梱包資材。
【考案の詳細な説明】
【技術分野】
【０００１】
本考案は、梱包資材に関する。
【背景技術】
【０００２】
従来、梱包資材として、段ボール箱が知られている。
一般に、内部に空間を有する段ボール箱に被梱包物を収容して搬送し、店舗などの展示場所で箱から被梱包物を取り出し、別に用意される展示棚に載置して展示する。
一方、特許文献１に開示されるように、搬送用の段ボールがそのまま展示に使用可能となる段ボールも知られている。
【先行技術文献】
【特許文献】
【０００３】
【特許文献１】特開２００７−２２６０３号公報
【考案の概要】
【考案が解決しようとする課題】
【０００４】
上述した従来の梱包資材の場合、展示場所で箱から被梱包物を取り出し、別に用意される展示棚に載置して展示するが、その手間が大きい。また、梱包資材としての段ボール箱をその場において邪魔物として残ってしまうため、その処理の作業も必要となるという課題があった。
また、特許文献１に示すように、搬送用の段ボールをそのまま展示に使用する場合、収容する商品は同一のものを前提としており、卸店などが小売店のニーズに応じて多品種少量の商品を、その時々に組み合わせて搬送して展示に使用するということはできなかった。
本考案は、前記課題にかんがみてなされたもので、卸店などが小売店のニーズに応じて多品種少量の商品を、その時々に組み合わせて搬送したり、搬送後の展示を容易にすることが可能な梱包資材の提供を目的とする。
【課題を解決するための手段】
【０００５】
前記目的を達成するため、請求項１にかかる考案は、最下部に設置される台となるパレットと、底板と、同底板の縁部で起立される壁材とを有する薄皿状のトレイと、前記トレイの底板に載置されて底板上部の空間を鉛直方向に仕切る組仕切りとを具備する構成としてある。
また、請求項２にかかる考案は、請求項１に記載の梱包資材において、前記パレットは、天板と、天板の下に固定されて底上げする脚部を備える構成としてある。
【０００６】
さらに、請求項３にかかる考案は、請求項２に記載の梱包資材において、前記脚部は、所定の厚みを有する矩形箱形の形状であり、天板の下面に対して複数個を貼着して固定されている構成としてある。
さらに、請求項４にかかる考案は、請求項３に記載の梱包資材において、前記脚部は、下駄の歯のように複数個を平行に貼着している構成としてある。
【０００７】
さらに、請求項５にかかる考案は、請求項２〜請求項４のいずれかに記載の梱包資材において、前記脚部は、複数の紙を一定間隔でのり付けし、次の紙とはその半分の間隔をずらしてのり付けすることを複数枚だけ繰り返し、紙同士を引き離すように広げて厚み方向の荷重を支える構成としてある。
さらに、請求項６にかかる考案は、請求項１〜請求項５のいずれかに記載の梱包資材において、前記トレイは、底板となる一枚の矩形の段ボールの縁部を所定長さだけ起立させることで周縁の壁材を形成した構成としてある。
【０００８】
さらに、請求項７にかかる考案は、請求項１〜請求項６のいずれかに記載の梱包資材において、前記トレイの底面側を印刷面として所定の装飾を印刷しておき、同トレイの底板上に段ボール板のトレイパッドを載置すると共に、同トレイパッドは、上面の側を印刷面として所定の装飾を印刷した構成としてある。
さらに、請求項８にかかる考案は、請求項１〜請求項７のいずれかに記載の梱包資材において、前記組仕切りは、複数の矩形段ボール板に互いに反対方向から切り込みを形成し、切り込み同士を対面させて互いに交差するように組み合わせて形成した構成としてある。
【０００９】
さらに、請求項９にかかる考案は、請求項８に記載の梱包資材において、前記組仕切りは、少なくとも一方向に二枚の段ボール板を備えてトレイ上に６つ以上の被梱包物を仕分けて載置可能した構成としてある。
さらに、請求項１０にかかる考案は、請求項１〜請求項９のいずれかに記載の梱包資材において、前記パレットと前記トレイの設置面積がほぼ一致し、前記トレイと前記組仕切りとを一組として一段の棚として使用し、最上段の前記組仕切りの上面には前記トレイを逆さにして蓋とする構成としてある。
【００１０】
さらに、請求項１１にかかる考案は、請求項１０に記載の梱包資材において、前記パレットから最上段のトレイに至る高さで、側面の角を覆う角被覆板を備える構成としてある。
さらに、請求項１２にかかる考案は、請求項１１に記載の梱包資材において、前記パレットから最上段のトレイに至る側面の角を角被覆板にて覆った状態で上方と下方から薄皿状の上蓋と下蓋と装着する構成としてある。
【００１１】
前記のように構成した請求項１にかかる考案においては、パレットを最下部に設置して台とし、その上に薄皿状のトレイを置き、このトレイ上に組仕切りを載置する。トレイは、底板と、その縁部で起立される壁材とを有しており、この底板上に組仕切りを載置することで、底板上部の空間を鉛直方向に仕切ることができる。すなわち、トレイの上に仕切られる複数のコンパートメントが形成されるので、その数だけ被梱包物を載置できる。
【００１２】
このようにすることで、トレイと組仕切りとを一組として一段の棚として使用できる。また、最上段の組仕切りの上面についてはトレイを逆さにして蓋とする。
この状態でフィルム状の梱包資材で捲回すれば、被梱包物を載置したまま一体化でき、搬送できる。また、展示場所では、捲回しているフィルム状の梱包資材を切って取り除くと、薄皿状のトレイに複数の被梱包物が載置された状態で、パレットの上に置いてあることになり、そのまま展示できる。
【００１３】
また、前記のように構成した請求項２にかかる考案においては、前記パレットは、トレイを載置する天板に加えて、この天板の下に脚部を固定されており、同脚部にて天板を底上げすることで、搬送時に天板の下からのショックから被梱包物を守り、また、展示時には底上げして被梱包物を視認しやすくする。
さらに、前記のように構成した請求項３にかかる考案においては、脚部として所定の厚みを有する矩形箱形の形状とすることで、天板の下面に対して複数個を貼着して固定でき、厚みの割りに軽量とでき、また、脚部同士の間に空間を形成することでパレット下部に搬送のための道具も挿入できる。
【００１４】
さらに、前記のように構成した請求項４にかかる考案においては、前記脚部は、下駄の歯のように複数個を平行に貼着してあり、輸送業界における一般的な木製のパレットを小さくしたような外観とした装飾性を持たせている。
さらに、前記のように構成した請求項５にかかる考案においては、前記脚部は、複数の紙を一定間隔でのり付けし、次の紙とはその半分の間隔をずらしてのり付けすることを複数枚だけ繰り返し、紙同士を引き離して広げて形成してある。このようにすると断面があたかも六角形の蜂の巣形状となり、軽量であって厚み方向の荷重を支えることができるようになる。
【００１５】
さらに、前記のように構成した請求項６にかかる考案においては、前記トレイの形状の一例としては、底板となる一枚の矩形の段ボールの縁部を所定長さだけ起立させることで周縁の壁材を形成している。
さらに、前記のように構成した請求項７にかかる考案においては、一枚の矩形の段ボールの縁部を所定長さだけ起立させる簡易な構成としており、このときにトレイの底面側を印刷面として所定の装飾を印刷しておくことで、縁部を起立させると外側に装飾面が現れる。一方で、トレイの底板の上面は非装飾面となってしまう。このため、トレイの底板の上には段ボール板のトレイパッドを載置すると共に、同トレイパッドは、上面の側を印刷面として所定の装飾を印刷しておく。このようにすることで、被梱包物はトレイパッドの印刷面の側に置かれることになり、展示時に展示棚として華やかさを増すことになる。
【００１６】
さらに、前記のように構成した請求項８にかかる考案においては、前記組仕切りは、複数の矩形段ボール板に互いに反対方向から切り込みを形成し、切り込み同士を対面させて互いに交差するように組み合わせて形成する。
さらに、前記のように構成した請求項９にかかる考案においては、前記組仕切りは、少なくとも一方向に二枚の段ボール板を備えてトレイ上に６つ以上の被梱包物を仕分けて載置可能している。組仕切りの組み合わせ方は、これらに限られるものではなく、載置する被梱包物の数だけトレイの底板にマス目を形成するように組み合わせれば良い。
【００１７】
さらに、前記のように構成した請求項１０にかかる考案においては、前記パレットと前記トレイの設置面積がほぼ一致し、前記トレイと前記組仕切りとを一組として一段の棚として使用し、最上段の前記組仕切りの上面には前記トレイを逆さにして蓋とする。この状態でフィルム状の梱包資材で捲回すれば、被梱包物を載置したまま一体化できるし、このときにパレットもトレイも蓋も全て同じ大きさの設置面積であるから、フィルムを巻き付けたときにパレットもトレイも蓋も、全ての外周面に対して直にフィルムが巻き付くことになり、固定しやすくなる。この結果、搬送中に荷崩れすることもない。さらに、トレイを逆さまにして蓋とできるので、部品種類を増やさないで良い。なお、一段毎にトレイを蓋としてもよい。
【００１８】
さらに、前記のように構成した請求項１１にかかる考案においては、前記パレットから最上段のトレイに至る高さの角被覆板により、側面の角を覆うので、フィルムを巻き付けるときに全体が安定し、梱包時に荷崩れしにくくなる。
さらに、前記のように構成した請求項１２にかかる考案においては、前記パレットから最上段のトレイに至る側面の角を角被覆板にて覆った状態でフィルムを巻き付け、さらに上方と下方から薄皿状の上蓋と下蓋を装着するので、全体的に安定した梱包となり、搬送時に荷崩れしにくくなる。
【考案の効果】
【００１９】
以上説明したように本考案は、搬送や、搬送後の展示を容易にすることが可能となる。
【図面の簡単な説明】
【００２０】
【図１】本考案の一実施形態にかかる梱包資材の展示時の状態示す正面図である。
【図２】パレットの斜視図である。
【図３】脚部の斜視図である。
【図４】脚部の一部断面図である。
【図５】トレイを上方から見た斜視図である。
【図６】トレイを下方から見た斜視図である。
【図７】トレイパッドの斜視図である。
【図８】組仕切りの斜視図である。
【図９】組仕切りを組み付けた状態の斜視図である。
【図１０】トレイ上に９つの非梱包物を載置した状態を示す斜視図である。
【図１１】一段分の収納状態を示す斜視図である。
【図１２】三段の収納状態を示す斜視図である。
【図１３】梱包過程を示す斜視図である。
【図１４】梱包過程を示す斜視図である。
【図１５】梱包過程を示す斜視図である。
【考案を実施するための形態】
【００２１】
以下、図面にもとづいて本考案の実施形態を説明する。
図１は、本考案の一実施形態にかかる梱包資材の展示時の状態を正面図により示している。
同図において、本梱包資材１０は、構成パーツとして、パレット２０と、トレイ３０と、組仕切り４０とを備えている。
図２は、パレット２０を斜視図により示している。
【００２２】
パレット２０は、最下部に設置される台となる部材である。パレット２０は、天板２１と、この天板２１の下に固定されて底上げする脚部２２とを備えている。
図３は、脚部２２を斜視図により示しており、図４は脚部２２の断面の一部を断面図により示している。
脚部２２は、所定の厚みを有する矩形箱形の形状であり、天板２１の下面に対して複数個を貼着して固定されている。本実施例においては、脚部２２は、下駄の歯のように３個を平行に貼着している。
【００２３】
図４に示すように、脚部２２は、複数の帯状の紙２２ａ，２２ｂを一定間隔でのり付けし、次の紙２２ｃとはその半分の間隔をずらしてのり付けすることを複数枚だけ（２２ａ〜２２ｄ）繰り返し、さらに、紙同士（２２ａ〜２２ｄ）を引き離すように広げてある。これにより、それぞれは薄い紙でありながら厚み方向の荷重を支えるようにしてある。
【００２４】
図５と図６は、トレイ３０を上方から見た状態と、下方から見た状態での斜視図により示している。
トレイ３０は、底板３１ａと、同底板３１ａの縁部で起立される壁材３１ｂとを有する薄皿状に形成されている。本実施例のトレイ３０では、底板３１ａとなる一枚の矩形の段ボールの縁部を所定長さだけ起立させることで周縁の壁材３１ｂを形成してある。
【００２５】
図５と図６に示すように、トレイ３０は、その底面側を印刷面としてあり、所定の装飾を印刷してある。このため、上方から見ると底面と周壁の外面に印刷が施されている。これを逆にして蓋として使用する場合には、天井面と周壁の外面に印刷が施されていることになる。
【００２６】
図７は、トレイパッドを斜視図により示している。
トレイパッド３２は、トレイ３０の底板３１ａ上に載置可能な段ボール板である。このトレイパッド３２は、その上面の側を印刷面として所定の装飾を印刷してある。トレイ３０の底板３１ａ上にトレイパッド３２を載置した場合、トレイ３０は、底面側だけでなく上面側も印刷面となるため、被梱包物をトレイ３０内に載置したときに装飾性が向上する。
【００２７】
図８は、組仕切りを斜視図により示しており、図９は、組仕切りを組み付けた状態を斜視図により示している。
組仕切り４０は、トレイ３０の底板３１ａに載置されて底板３１ａ上部の空間を鉛直方向に仕切るものである。この場合、トレイ３０の底板３１ａ上にトレイパッド３２が載置される場合は、同トレイパッド３２上に載置されるが、トレイパッド３２を介して間接的に底板３１ａに載置されているということになる。
【００２８】
組仕切り４０は、複数の矩形段ボール板に切り込み４１を形成してある。切り込み４１を基準として複数の矩形段ボール板を互いに反対方向から、切り込み４１同士を対面させ、互いに交差するように組み合わせて形成される。
図９に示すように、組仕切り４０として、一方向に二枚の段ボール板を用意し、この二枚の段ボール番と交差するように二枚の段ボール板を用意すると、トレイ３０上には、合計６つの被梱包物を仕分けて載置可能となる。二枚の段ボール板を交差させるだけなら４マスの収納領域を形成でき、二枚の段ボール板と一枚の段ボール板を交差させると６マスの収納領域を形成でき、二枚の段ボール板と二枚の段ボール板を交差させると９マスの収納領域を形成でき、三枚の段ボール板と三枚の段ボール板を交差させると１６マスの収納領域を形成できる。
【００２９】
図１０は、９マスの収納領域を経営する組仕切り４０を使用し、トレイ３０上に９つの非梱包物を載置した状態を示している。
図１１は、一段分の収納状態を示す斜視図である。
パレット２０とトレイ３０の設置面積はほぼ一致する。すなわち、パレット２０の天板２１とトレイ３０の底板３１ａはほぼ同面積である。トレイ３０と組仕切り４０とを一組として一段の棚として使用し、最上段の組仕切り４０の上面にはトレイ３０を逆さにして蓋とする。
【００３０】
図１２は、三段の収納状態を示す斜視図である。
最下段にパレット２０を配置し、その上にトレイ３０、トレイパッド３２、組仕切り４０、逆さにしたトレイ３０を配置することで一段の収納状態となる。これを三段分繰り返して積み重ねる。トレイ３０を逆さにして蓋にするにあたっては、各段ごとに蓋を装着するようにしても良いし、任意の段に装着するようにしても良いし、最上段にだけ装着するようにしても良い。
【００３１】
図１３〜図１５は、梱包過程を示す斜視図である。
パレット２０の上に、三段分のトレイ３０とトレイパッド３２と組仕切り４０と逆さにしたトレイ３０を積み重ね、非梱包物が動かないように側面を覆うようにフィルムを巻き付ける。巻き付け終えた状態を図１３に示している。このときに、非梱包物が商品であるときは販促物品であるポップ５０を一緒に巻き付けても良い。この状態をパレットセットとも呼ぶ。
【００３２】
次に、搬送時にパレットセットがつぶれないようにパレット２０から最上段のトレイ３０に至る高さで、側面の角を覆う角被覆板６１により、上下方向における四つの角を外側から覆う。そして、この角被覆板６１の外側を覆うようにフィルムを巻き付ける。巻き付け終えた状態を図１４に示している。
さらに、パレット２０から最上段のトレイ３０に至る側面の角を角被覆板６１にて覆った状態で、上方と下方から薄皿状の上蓋６２ａと下蓋６２ｂとを装着する。そして、上下方向に同上蓋６２ａと下蓋６２ｂとが外れないように上面、側面、下面、側面とを覆うようにベルト６３を巻き付けて固定する。ベルト６３は、上蓋６２ａと下蓋６２ｂとが外れないようにするとともに、搬送時に持ちやすくする機能も果たす。
【００３３】
例えば、卸店から小売店へと商品を卸す場合、これまでは同じ商品あるいは１セットとなる組の商品だけが梱包された一つの段ボールごとに卸店から小売店へ輸送する。そして、小売店が複数の段ボールから商品を取り出し、商品ごとにグループ化して自分の店舗の棚に展示して販売するのが常であった。
しかし、本考案の梱包資材を使用するときは、卸店が小売店で展示しやすいように、一種類あるいは予めアソートした商品を用意し、組仕切り４０で仕切られたトレイ３０上の収納領域にセットして一段の梱包セットを作る。そして、数セットを用意したらパレット２０上に載置し、一つのパレットセットにする。その後、フィルムや角被覆板６１や上蓋６２ａや下蓋６２ｂを使用し、図１２〜図１５に示すようにして梱包し、小売店に輸送する。
【００３４】
小売店では、フィルムや角被覆板６１や上蓋６２ａや下蓋６２ｂを取り外せば、図１２に示すように注文した商品がすぐに展示できる状態となり、そのままあるいは適宜アレンジして自分の店舗に展示して販売の準備ができるようになる。
このように、本実施例によれば、パレット２０を最下部に設置して台とし、その上に薄皿状のトレイ３０を置き、このトレイ３０上に組仕切り４０を載置すると、フィルム等で梱包可能で、かつ、輸送できる状態となり、利便性の高い新しい梱包資材として利用できる。
【００３５】
なお、本考案は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本考案の一実施例として開示されるものである。
【符号の説明】
【００３６】
１０…梱包資材、２０…パレット、２１…天板、２２…脚部、２２ａ〜２２ｄ…紙、３０…トレイ、３１ａ…底板、３１ｂ…壁材、３２…トレイパッド、４０…組仕切り、５０…ポップ、６１…角被覆板、６２ａ…上蓋、６２ｂ…下蓋、６３…ベルト。
【図１】
0003219284.tif 000003
【図２】
0003219284.tif 000004
【図３】
0003219284.tif 000005
【図４】
0003219284.tif 000006
【図５】
0003219284.tif 000007
【図６】
0003219284.tif 000008
【図７】
0003219284.tif 000009
【図８】
0003219284.tif 000010
【図９】
0003219284.tif 000011
【図１０】
0003219284.tif 000012
【図１１】
0003219284.tif 000013
【図１２】
0003219284.tif 000014
【図１３】
0003219284.tif 000015
【図１４】
0003219284.tif 000016
【図１５】
0003219284.tif 000017